(57)【要約】【課題】より大きな外形寸法を有した支持対象物を支持させた場合にも、十分に剛性を確保すること。【解決手段】四周枠組みした横框１４、縦框１５の両面にそれぞれ表面材１２，１３を設けることより構成されたパネル体１０と、一方の表面材１２に設けられた切欠部１２ａを介して外部に臨む状態でパネル体１０に配設された外方ディスプレイ２０，３０とを備えるフラッシュパネルであって、パネル体１０には、左右の縦框１５の間に上下に沿って延在し、上下の横框１４の間を連結する補強用の縦骨材５０が設けられ、外方ディスプレイ２０，３０は、縦骨材５０を介してパネル体１０に支持されている。【選択図】図３
2019190113.tif 000002
【特許請求の範囲】
【請求項１】
四周枠組みした構造材の両面にそれぞれ表面材を設けることより構成されたパネル体と、少なくとも前記表面材の一方に設けられた切欠部を介して外部に臨む状態で前記パネル体に配設された支持対象物とを備えるフラッシュパネルであって、
前記パネル体には、左右の構造材の間に上下に沿って延在し、上下の構造体の間を連結する補強用の縦骨材が設けられ、
前記支持対象物は、前記縦骨材を介して前記パネル体に支持されていることを特徴とするフラッシュパネル。
【請求項２】
前記支持対象物の両側となる部位にそれぞれ前記縦骨材が配設されていることを特徴とする請求項１に記載のフラッシュパネル。
【請求項３】
前記支持対象物は、両側部分がそれぞれ前記縦骨材に取り付けられていることを特徴とする請求項２に記載のフラッシュパネル。
【請求項４】
前記縦骨材の相互間が連結材によって連結されていることを特徴とする請求項２に記載のフラッシュパネル。
【請求項５】
前記支持対象物は、前記連結材に取り付けられていることを特徴とする請求項４に記載のフラッシュパネル。
【請求項６】
四周の構造材はそれぞれ、少なくとも前記表面材の他方を支持するように設けられた樹脂部分と、少なくとも前記表面材の他方に対して非接触となるように配置された金属部分とを有して構成されており、
前記縦骨材は、前記表面材の他方に対して非接触となる状態で前記上下の構造材の金属部分に接合されていることを特徴とする請求項１に記載のフラッシュパネル。
【請求項７】
前記パネル体は、前記表面材の他方に設けられた切欠部を介して外部に臨む第２の支持対象物を備え、前記第２の支持対象物は、前記縦骨材を介して前記パネル体に支持されていることを特徴とする請求項１に記載のフラッシュパネル。
【発明の詳細な説明】
【技術分野】
【０００１】
本発明は、フラッシュパネルに関するものである。
【背景技術】
【０００２】
例えば、建物の玄関ドアとしては、四周枠組みした構造材の両面にそれぞれ表面材を設けることよってパネル体を構成したフラッシュパネルが多く用いられている。パネル体は、表面材の相互間にＥＰＳ（発泡スチロール）やペーパコア等の芯材が配設してあり、表面材を構造材及び芯材に接合することで、所望の剛性を確保するようにしている。この種の玄関ドアには、採光窓が設けられたものも提供されている。すなわち、表面材及び芯材を貫通するようにパネル体に切欠を形成し、この切欠の内部に窓を設置するようにしたものである（例えば、特許文献１及び特許文献２参照）。
【０００３】
ところで、フラッシュパネルは、上述したように構造材及び芯材に対して表面材を接合することによって剛性を確保したものである。従って、表面材に大きな寸法の切欠を形成することができず、設置できる採光窓の寸法にも大きな制限が加わることになる。また昨今においては、玄関ドアにディスプレイを設けるようにしたものも提案されている（例えば、特許文献３参照）。ディスプレイの視認性を考慮した場合には、より大きな画面を用意することが好ましい。しかしながら、フラッシュパネルから成る玄関ドアにあっては、上述した剛性上の理由から、ディスプレイの設置自体が困難となる場合もある。
【先行技術文献】
【特許文献】
【０００４】
【特許文献１】特開２００１−３６４６号公報
【特許文献２】特開２０１２−９２５６５号公報
【特許文献３】特開２０１７−９５９６３号公報
【発明の概要】
【発明が解決しようとする課題】
【０００５】
本発明は、上記実情に鑑みて、採光窓やディスプレイ等の支持対象物として、より大きな外形寸法を有したものを支持させた場合にも、十分に剛性を確保することのできるフラッシュパネルを提供することを目的とする。
【課題を解決するための手段】
【０００６】
上記目的を達成するため、本発明に係るフラッシュパネルは、四周枠組みした構造材の両面にそれぞれ表面材を設けることより構成されたパネル体と、少なくとも前記表面材の一方に設けられた切欠部を介して外部に臨む状態で前記パネル体に配設された支持対象物とを備えるフラッシュパネルであって、前記パネル体には、左右の構造材の間に上下に沿って延在し、上下の構造体の間を連結する補強用の縦骨材が設けられ、前記支持対象物は、前記縦骨材を介して前記パネル体に支持されていることを特徴とする。
【０００７】
この発明によれば、支持対象物の荷重が縦骨材を介して四周の構造材に伝達されることになり、表面材が支持対象物の荷重を負担することがない。従って、外形寸法の大きな支持対象物を支持すべく表面材に寸法の大きな切欠を形成した場合にも、パネル体の剛性を十分に確保することが可能となる。
【０００８】
また本発明は、上述したフラッシュパネルにおいて、前記支持対象物の両側となる部位にそれぞれ前記縦骨材が配設されていることを特徴とする。
【０００９】
この発明によれば、縦骨材が２本配設されるため、パネル体の剛性を向上させることができ、より重量の大きな支持対象物を支持することも可能となる。
【００１０】
また本発明は、上述したフラッシュパネルにおいて、前記支持対象物は、両側部分がそれぞれ前記縦骨材に取り付けられていることを特徴とする。
【００１１】
この発明によれば、支持対象物の両側部分が縦骨材に取り付けられるため、支持対象物の支持状態がより確実となる。
【００１２】
また本発明は、上述したフラッシュパネルにおいて、前記縦骨材の相互間が連結材によって連結されていることを特徴とする。
【００１３】
この発明によれば、連結材の追加により、パネル体の剛性をさらに向上させることが可能となる。連結材としては、必ずしもフレーム状のものである必要はなく、パネル状に成形されたものを適用することが可能である。
【００１４】
また本発明は、上述したフラッシュパネルにおいて、前記支持対象物は、前記連結材に取り付けられていることを特徴とする。
【００１５】
この発明によれば、支持対象物の両側のみならず、任意の位置で連結材との取付部を設けることが可能である。
【００１６】
また本発明は、上述したフラッシュパネルにおいて、四周の構造材はそれぞれ、少なくとも前記表面材の他方を支持するように設けられた樹脂部分と、少なくとも前記表面材の他方に対して非接触となるように配置された金属部分とを有して構成されており、前記縦骨材は、前記表面材の他方に対して非接触となる状態で前記上下の構造材の金属部分に接合されていることを特徴とする。
【００１７】
この発明によれば、パネル体に熱橋となる部材が設けられていないため、パネル体の断熱性能が損なわれる事態を防止することが可能となる。
【００１８】
また本発明は、上述したフラッシュパネルにおいて、前記パネル体は、前記表面材の他方に設けられた切欠部を介して外部に臨む第２の支持対象物を備え、前記第２の支持対象物は、前記縦骨材を介して前記パネル体に支持されていることを特徴とする。
【００１９】
この発明によれば、パネル体の両面に支持対象物を支持することができる。
【発明の効果】
【００２０】
本発明によれば、支持対象物の荷重が縦骨材を介して四周の構造材に伝達されることになり、表面材が支持対象物の荷重を負担することがない。従って、外形寸法の大きな支持対象物を支持すべく表面材に寸法の大きな切欠を形成した場合にも、パネル体の剛性を十分に確保することが可能となる。
【図面の簡単な説明】
【００２１】
【図１】本発明の実施の形態であるフラッシュパネルを適用した玄関ドアを室外側から見た概念図である。
【図２】図１に示した玄関ドアを室内側から見た概念図である。
【図３】図１に示した玄関ドアの横断面図である。
【図４】図１に示した玄関ドアの表面材を取り外した状態を室外側から見た概念図である。
【図５】図１に示した玄関ドアを室内側から見たもので、（ａ）は表面材を取り外した状態の概念図、（ｂ）は室内側の表示装置を取り外した状態の概念図である。
【図６】図１に示した玄関ドアの変形例を示す横断面図である。
【発明を実施するための形態】
【００２２】
以下、添付図面を参照しながら本発明に係るフラッシュパネルの好適な実施の形態について詳細に説明する。
図１及び図２は、本発明の実施の形態であるフラッシュパネルを示したものである。ここで例示するフラッシュパネルは、建物の玄関ドアとして適用されるもので、パネル体１０及び３つの液晶ディスプレイ（支持対象物）２０，３０，４０を備えている。パネル体１０は、図３〜図５に示すように、矩形状を成す架構枠１１の両面にそれぞれ表面材１２，１３を設けることによって構成したものである。架構枠１１は、上下の横框１４（構造材）及び左右の縦框１５（構造材）を四周枠組みすることによって構成してある。横框１４及び縦框１５は、それぞれ樹脂によって成形した樹脂部分１６と、鋼材等の金属によって成形した金属部分１７とを有して構成してある。樹脂部分１６は、パネル体１０の一方の表面から他方の表面にわたって配置される幅を有したものである。本実施の形態では、見込み方向に沿って延在する樹脂框基部１６ａと、樹脂框基部１６ａの両端縁から見付け方向に沿って内周側に延在する２つの支持ヒレ部１６ｂと、支持ヒレ部１６ｂの相互間となる部位に設けた仕切ヒレ部１６ｃとを一体に成形した樹脂部分１６を適用している。仕切ヒレ部１６ｃは、室外側の支持ヒレ部１６ｂとの相互間距離が、室内側の支持ヒレ部１６ｂとの相互間距離よりも大きくなるように、室内側に片寄って配置してある。
【００２３】
ここで、見込み方向とは、図３中の矢印Ａで示すように、建具の奥行きに沿った方向である。見込み方向に沿った面については見込み面と称する場合がある。見付け方向は、横框１４等のように水平方向に沿って延在するものの場合、見込み方向に直交した上下に沿う方向である。縦框１５等のように上下方向に沿って延在するものの場合には、見込み方向に直交した水平に沿う方向を見付け方向という。見付け方向に沿った面については、見付け面と称する場合がある。
【００２４】
金属部分１７は、樹脂部分１６において室外側の支持ヒレ部１６ｂと仕切ヒレ部１６ｃとの間に配置されるものである。本実施の形態では、樹脂框基部１６ａに沿って配置される金属框基部１７ａと、金属框基部１７ａの両端縁から見付け方向に沿って内周側に延在する２つの見付けヒレ部１７ｂとを一体に成形した金属部分１７を適用している。表面材１２，１３は、鋼材等の金属によって構成した薄板部材であり、架構枠１１の両面を覆う状態で個々の周囲が横框１４の支持ヒレ部１６ｂ及び縦框１５の支持ヒレ部１６ｂに接合してある。室外側に配置される表面材（以下、区別する場合に外表面材１２という）には、互いに上下となる２位置にそれぞれ矩形状の切欠部１２ａが設けてあり、室内側に配置される表面材（以下、区別する場合に内表面材１３という）には、ほぼ中央となる位置に矩形状の切欠部１３ａが設けてある。これらの切欠部１２ａ，１３ａは、後述する液晶ディスプレイ２０，３０，４０の表示面２０ａ，３０ａ，４０ａを外部に露出することのできる大きさに形成したものである。
【００２５】
液晶ディスプレイ２０，３０，４０は、それぞれ外形が矩形状を成すもので、パネル体１０の室外側に上下２つ配置し、室内側に１つ配置してある。パネル体１０の室外側に配置した２つの液晶ディスプレイ（以下、区別する場合に外方ディスプレイ２０，３０という）は、同一の外形寸法を有している。図には明示していないが、外方ディスプレイ２０，３０には、ベゼルの左右両縁部分に取付部が設けてある。パネル体１０の室内側に配置した液晶ディスプレイ（以下、区別する場合に内方ディスプレイ４０という）は、縦横の寸法が外方ディスプレイ２０，３０よりも大きく構成してある。本実施の形態では、内方ディスプレイ４０として表示面４０ａにタッチ式の入力装置が設けられたタッチパネル式のものを適用している。内方ディスプレイ４０には、ベゼルの上下両縁部分に取付部４１が設けてある。
【００２６】
これらの液晶ディスプレイ２０，３０，４０は、それぞれの表示面２０ａ，３０ａ，４０ａが表面材１２，１３の切欠部１２ａ，１３ａを介して外部から視認可能となる状態で縦骨材５０を介してパネル体１０の架構枠１１に支持してある。より具体的に説明すると、図３〜図５に示すように、パネル体１０の架構枠１１には、上下の横框１４を互いに連結するように２本の縦骨材５０が設けてあるとともに、縦骨材５０の相互間を連結するように上下２つの連結材５１が設けてある。縦骨材５０は、鋼材等の金属によって成形した架構枠１１の補強材である。本実施の形態では、見込み方向に沿って延在する縦骨基壁部５０ａと、縦骨基壁部５０ａの両端縁から見付け方向に沿って外周側に延在する２つの支持壁部５０ｂとを一体に成形した縦骨材５０を適用している。縦骨基壁部５０ａの見込み方向に沿った寸法は、架構枠１１の金属部分１７とほぼ同じである。図には明示していないが、縦骨基壁部５０ａの両端部は、それぞれ外周側に向けてほぼ直角に屈曲し、横框１４との取付部５０ｃとなっている。それぞれの縦骨材５０は、取付部５０ｃを介して上方の横框１４の金属部分１７及び下方の横框１４の金属部分１７に固定してある。縦骨材５０の相互間隔は、外方ディスプレイ２０，３０の横寸法とほぼ同じに設定してある。連結材５１は、鋼材やアルミニウム合金等の金属によって成形した平板状部材であり、個々の両側縁部が縦骨材５０の室内に位置する支持壁部５０ｂに取付ネジ５２によって取り付けてある。
【００２７】
上述した外方ディスプレイ２０，３０は、縦骨材５０の相互間に配置した後、縦骨基壁部５０ａの外周側からそれぞれの取付部に取付ネジ５３を螺合することにより、両側部分が縦骨材５０に取り付けてある。外方ディスプレイ２０，３０の表示面２０ａ，３０ａは、外表面材１２の表面と同じ、もしくは外表面材１２の表面よりもわずかに内側となるように設定してある。外表面材１２の表面には、その全面を覆うように、ガラス板等、透明のカバーパネル６０が取り付けてある。
【００２８】
一方、内方ディスプレイ４０は、室内側から連結材５１に当接させ、この状態からそれぞれの取付部４１を介して支持壁部５０ｂに取付ネジ５４を螺合することによって縦骨材５０に取り付けてある。内方ディスプレイ４０の表示面４０ａは、タッチパネル式であるため、内表面材１３に設けた切欠部１３ａを介して外部に露出した状態となっている。
【００２９】
なお、図には明示していないが、パネル体１０の内部に構成される隙間には、ＥＰＳやペーパコア等の芯材を充填するようにしている。これらの芯材と表面材１２，１３との間は、従来と同様、接着剤によって接着してある。さらに、液晶ディスプレイ２０，３０，４０の表示制御を行う制御装置は、パネル体１０に収納しても良いし、パネル体１０の外部に配設しても良い。
【００３０】
上記のように構成したフラッシュパネルは、一方の縦框１５に取り付けたドアヒンジ７０を介して建物の縦枠８０に取り付けてあり、上下に沿った軸心を中心として回転することにより、玄関の出入口を開閉する玄関ドアとなる。ここで、表面材１２，１３に大きな切欠部１２ａ，１３ａを設けたフラッシュパネルのパネル体１０にあっては、そのままの状態では面剛性を確保することが難しく、特に、重量の大きな液晶ディスプレイ２０，３０，４０を支持させることも困難となる。しかしながら、上述したフラッシュパネルによれば、架構枠１１に補強材として縦骨材５０を配設することによってパネル体１０自体の剛性を確保し、さらに縦骨材５０を介して液晶ディスプレイ２０，３０，４０を架構枠１１に支持させるようにしている。従って、架構枠１１に加えられた液晶ディスプレイ２０，３０，４０の荷重は、ドアヒンジ７０を介して建物の縦枠８０に伝達され、さらに縦枠８０を介して図示せぬ躯体に伝達されることになる。つまり、表面材１２，１３が液晶ディスプレイ２０，３０，４０の荷重を負担することがなく、表面材１２，１３に大きな寸法の切欠部１２ａ，１３ａを形成した場合にも、パネル体１０に所望の剛性を確保することが可能となる。これにより、大画面の液晶ディスプレイ２０，３０，４０を備えた玄関ドアを具現化することができ、様々な表示を行うことで玄関ドアの付加価値を高めることが可能となる。
【００３１】
なお、上述した実施の形態では、玄関ドアとして適用されるフラッシュパネルを例示しているが、玄関ドア以外のものにも適用することが可能である。フラッシュパネルを玄関ドアとして適用する場合に上述した実施の形態ではドアヒンジ７０によって開閉するものを例示しているが、スライドすることによって玄関の出入口を開閉するものにも適用可能である。また、支持対象物としては、液晶ディスプレイ２０，３０，４０を例示しているが、その他の支持対象物を支持させる場合にも同様に適用することができる。例えば、玄関ドアであれば、パネル体に外形寸法の大きな採光窓を取り付けることも可能となる。パネル体１０に液晶ディスプレイ２０，３０，４０を支持させる場合に上述した実施の形態では、パネル体１０の両面が表示面となるように構成しているが、本発明はこれに限定されない。図６に示す変形例のように、パネル体１０の室外に臨む表面のみが表示面となるように液晶ディスプレイ２０を支持させるようにしても良い。この場合、液晶ディスプレイ２０は、直接縦骨材５０に取り付ける必要はない。例えば、図示の変形例のように、連結材５１を介して液晶ディスプレイ２０の背面にのみ取付ネジ８１を螺合させれば、連結材５１を介して液晶ディスプレイ２０を縦骨材５０に支持させることも可能である。なお、図６の変形例においては、実施の形態と同様の構成に同一の符号が付してある。
【００３２】
また、この変形例では、内表面材１３に対して切欠部１３ａを覆うようにカバー部材９０を着脱可能に取り付け、かつ連結材５１とカバー部材９０との間に空間１００を確保するようにしている。この変形例によれば、縦骨材５０が熱橋となることがないため、カバー部材９０によって切欠部１３ａが覆われている状態においてはパネル体１０の空間１００が断熱空間となり、断熱性の点で有利となる。しかしながら、パネル体１０の横框１４及び縦框１５としては、必ずしも樹脂部分１６を備えている必要はなく、鋼材等の金属のみによって構成しても構わない。
【符号の説明】
【００３３】
１０  パネル体、１２，１３  表面材、１２ａ，１３ａ  切欠部、１４  横框、１５  縦框、１７  金属部分、１７ａ  金属框基部、１７ｂ  ヒレ部、２０，３０  外方ディスプレイ、４０  内方ディスプレイ、５０  縦骨材、５１  連結材
【図１】
2019190113.tif 000003
【図２】
2019190113.tif 000004
【図３】
2019190113.tif 000005
【図４】
2019190113.tif 000006
【図５】
2019190113.tif 000007
【図６】
2019190113.tif 000008